(57)【要約】【課題】操作パネルの角度調整による表示部への照明等の映り込みを抑制することが可能な操作装置及び画像形成装置を提供する。【解決手段】画像を表示する表示部が設けられ、水平面に対する角度が調整自在な操作パネル２０を備える操作装置１０であって、上記表示部に入射する光の少なくとも一部を遮光する笠部材３０を有するという構成を採用する。【選択図】図１
2009098444.tif 000002
【特許請求の範囲】
【請求項１】
画像を表示する表示部が設けられ、水平面に対する角度が調整自在な操作パネルを備える操作装置であって、
前記表示部に入射する光の少なくとも一部を遮光する笠部材を有することを特徴とする操作装置。
【請求項２】
前記操作パネル上に露出して前記表示部に入射する光を遮光する遮光位置と、内部に収容されて前記表示部に入射する光を非遮光とする退避位置との間で、前記笠部材を移動させる駆動機構を有することを特徴とする請求項１に記載の操作装置。
【請求項３】
前記駆動機構は、前記操作パネルの角度に応じて、前記笠部材を前記遮光位置と前記退避位置との間で移動させることを特徴とする請求項２に記載の操作装置。
【請求項４】
前記駆動機構は、前記笠部材に設けられて、前記操作パネルの角度調整に伴う力を伝達させる伝達部を有し、
前記伝達部の前記力の伝達及び伝達解除を切り替える切替機構を有することを特徴とする請求項２または３に記載の操作装置。
【請求項５】
前記遮光位置と前記退避位置とを選択できる操作部を有し、
前記操作部の選択結果を検知する検知装置と、
前記検知装置の検知結果に基づいて前記駆動機構の駆動を制御する制御装置とを有することを特徴とする請求項２に記載の操作装置。
【請求項６】
請求項１〜５のいずれか一項に記載の操作装置を備えることを特徴とする画像形成装置。
【請求項７】
前記笠部材は、画像形成装置本体に引き出し可能に収容されていることを特徴とする請求項６に記載の画像形成装置。
【発明の詳細な説明】
【技術分野】
【０００１】
本発明は、操作装置及び複写機、プリンタ、またはファクシミリ装置等の画像形成装置に関するものである。
【背景技術】
【０００２】
一般に、画像形成装置等に用いられる操作装置として、液晶画面やタッチパネル等の表示部を有する操作パネルを備えるものが知られている。ユーザーは、当該操作パネルに設けられたボタンや、タッチパネルに表示されるボタン部を押圧することで、所望の設定や、操作を行う。
【０００３】
ところで、操作パネルは、例えば、画像形成装置にある一定の角度で固定されており、ユーザー（特に、背の低い女性、車椅子使用者等）によっては、操作パネルにアクセスして操作することが難しいという問題があった。
【０００４】
従来、上記問題を解決するため、画像形成装置に設けられる操作パネルを角度調整可能に支持させ、ユーザーによって操作パネルの角度を変更可能にすることで、操作パネルに容易にアクセスして操作可能にする方法がある（例えば、特許文献１）。
【特許文献１】特開２００３−３２３０８４号公報
【発明の開示】
【発明が解決しようとする課題】
【０００５】
しかしながら、上記方法では、操作パネルの角度を変更することで操作性は改善されるものの、操作パネルの調整角度によっては照明等から射光される光が表示部に映り込み、表示部に表示される画像や操作部等が見え辛くなるという問題がある。
【０００６】
当該映り込みがあった場合、健常者においては、表示部を見る角度を変えて視点を変更することで映り込みを回避できるが、例えば車椅子使用者においては、車椅子によって体勢が制限され、視点を変更するのが難しいという問題があり、映り込みによる操作性の低下が懸念される。
【０００７】
本発明は、上述する問題点に鑑みてなされたもので、操作パネルの角度調整による表示部への照明等の映り込みを抑制することが可能な操作装置及び画像形成装置を提供することを目的とする。
【課題を解決するための手段】
【０００８】
上記の課題を解決するために、本発明は、画像を表示する表示部が設けられ、水平面に対する角度が調整自在な操作パネルを備える操作装置であって、上記表示部に入射する光の少なくとも一部を遮光する笠部材を有するという構成を採用する。
このような構成を採用することによって本発明では、笠部材が表示部に入射する光を遮光して操作パネルの表示部に照明等が映り込むことを抑制することができる。
【０００９】
また、本発明においては、上記操作パネル上に露出して上記表示部に入射する光を遮光する遮光位置と、内部に収容されて上記表示部に入射する光を非遮光とする退避位置との間で、上記笠部材を移動させる駆動機構を有するという構成を採用する。
このような構成を採用することによって本発明では、表示部に映り込みが起こらない場合に笠部材を収容することができ、操作パネルの操作性を向上させることができる。
【００１０】
また、本発明においては、上記駆動機構は、上記操作パネルの角度に応じて、上記笠部材を上記遮光位置と上記退避位置との間で移動させるという構成を採用する。
このような構成を採用することによって本発明では、操作パネルの角度調整に伴って笠部材が遮光位置と退避位置とに自動的に移動することができる。
【００１１】
また、本発明においては、上記駆動機構は、上記笠部材に設けられて、上記操作パネルの角度調整に伴う力を伝達させる伝達部を有し、上記伝達部の上記力の伝達及び伝達解除を切り替える切替機構を有するという構成を採用する。
このような構成を採用することによって本発明では、健常者等が操作装置を操作する場合等、笠部材が必要の無いとき笠部材が自動的に移動するのを防止することができる。
【００１２】
また、本発明においては、上記遮光位置と上記退避位置とを選択できる操作部を有し、上記操作部の選択結果を検知する検知装置と、上記検知装置の検知結果に基づいて上記駆動機構の駆動を制御する制御装置とを有するという構成を採用する。
このような構成を採用することによって本発明では、笠部材による遮光が必要なときに操作部を操作することによって、選択的に笠部材を遮光位置と退避位置とに移動させることができる。
【００１３】
また、本発明においては、上記記載の操作装置を備えることを特徴とする画像形成装置という構成を採用する。
このような構成を採用することによって本発明では、映り込みを抑制できる操作装置を備える画像形成装置が得られる。
【００１４】
また、本発明においては、上記笠部材は、画像形成装置本体に引き出し可能に収容されているという構成を採用する。
このような構成を採用することによって本発明では、笠部材を画像形成装置本体から必要なときに引き出すことによって表示部の映り込みを抑制することができる。
【発明の効果】
【００１５】
本発明によれば、画像を表示する表示部が設けられ、水平面に対する角度が調整自在な操作パネルを備える操作装置であって、上記表示部に入射する光の少なくとも一部を遮光する笠部材を有するという構成を採用することによって、笠部材が表示部に入射する光を遮光して操作パネルの表示部に照明等が映り込むことを抑制することができる。
したがって、操作パネルの角度調整による表示部への照明等の映り込みを抑制することによって、車椅子使用者等が操作装置を使用する場合であっても、操作性の低下を抑制することができる。
【発明を実施するための最良の形態】
【００１６】
以下、本発明の実施形態を図面に基づいて説明する。なお、以下の説明においては、本発明の操作装置を複写機（画像形成装置）に適応した場合の例について説明する。また、以下の図面において、各部材を認識可能な大きさとするために、各部材の縮尺を適宜変更している。
【００１７】
（第１実施形態）
図１は、第１実施形態における複写機１の側面図を示す。
図１（ａ）は、健常者が複写機１を使用する場合のイメージ図であり、図１（ｂ）は、車椅子使用者が複写機１を使用するイメージ図である。
複写機１は、操作パネル２０を有する操作装置１０を備える構成となっている。
操作パネル２０は、図１に示すように、操作装置１０に複写機１の幅方向（紙面垂直方向）に延びる回転軸回りに回転自在かつ多段階角度変更が可能に、水平面に対する角度θが調整可能となっている。このような構成により、操作パネル２０は、水平面に対する角度θが０度から９０度まで傾けることができ、使用者が操作しやすい角度に調整可能な構成となっている。
そして、操作パネル２０は、図１（ｂ）に示すように、照明等の映り込みを抑制する笠部材３０（詳しくは後述）を備えて、車椅子使用者の操作パネル２０の操作を補助する構成となっている。
【００１８】
先ず、図２を参照して、複写機１の構成について説明する。
図２は、複写機１の構成を示すブロック図である。
複写機１は、原稿の画像を読み取る画像読取部２と、読み取った画像を記憶する画像記憶部３と、記憶された画像を画像処理する画像処理部４と、画像処理されたデータを基に印刷処理をする印刷部５と、それらの動作を制御する複写機制御部６と、ユーザーの指令を複写機制御部６へ伝送する操作装置１０とを有する構成となっている。
【００１９】
画像読取部２は、例えば、原稿自動送り装置と、原稿の画像を読み取るスキャナとを備える構成となっており、複写機制御部６の制御の下、原稿自動送り装置から供給された原稿の画像をスキャナで読み取り、原稿画像の形状や色彩等の画像データを画像記憶部３に出力する構成となっている。
【００２０】
画像記憶部３は、ハードディスク等の外部記憶装置或いは／及び半導体メモリ等から構成されており、複写機制御部６の制御の下、画像読取部２から入力された画像データを書き込み記憶すると共に、当該画像データを読み出して画像処理部４へ出力する構成となっている。
【００２１】
画像処理部４は、複写機制御部６の制御の下、画像記憶部３から入力された原稿の画像データ（ＲＧＢ型式画像データ）に各種の画像処理を施すと共に、当該画像処理によって生成された画像データ（ＲＧＢ型式画像データ）を印刷形式の画像データ（ＣＭＹＫ型式画像データ）に変換して印刷部５に出力するものである。
【００２２】
印刷部５は、複写機制御部６の制御の下、印刷用紙を搬送しつつ当該印刷用紙にトナーを付着させることにより、画像処理部４から入力された画像データに基づいて印刷用紙に画像を形成するものであり、例えば、給紙カセット、感光ドラム、露光装置、定着装置等を備える構成となっている。
【００２３】
複写機制御部６は、ＣＰＵ（Central Processing Unit）、ＲＯＭ（Read Only Memory）やＲＡＭ（Random Access Memory）等の内部メモリ、並びに画像読取部２、画像記憶部３、画像処理部４、印刷部５、及び後述する操作装置１０とのデータ授受を行う各種入出力インターフェース回路等から構成されている。
【００２４】
操作装置１０は、ユーザーが操作する操作パネル２０と、操作装置１０の全体を制御する操作装置制御部１１とを有する構成となっている。
【００２５】
操作装置制御部１１は、ＣＰＵ、ＲＯＭやＲＡＭ等の内部メモリ、並びに操作パネル２０の表示部２１、操作キー２２及び複写機制御部６とのデータ授受を行う各種入出力インターフェース回路等から構成されている。
【００２６】
操作パネル２０は、画像を表示する表示部２１と、操作指令を操作装置制御部１１に出力する操作キー（操作部）２２と、後述する表示部２１への照明等の映り込みを抑制する笠部材３０とを有する構成となっている（図３参照）。
【００２７】
表示部２１は、例えばタッチパネルや液晶ディスプレイ等から構成されており、ユーザーと複写機１とを関係付けるマンマシンインタフェースとして機能する。タッチパネルは、周知のように表示パネルの表示面に抵抗膜方式等の透明な面状押圧センサを設けたものであり、表示パネルに表示された操作ボタンにユーザーが指等で押圧すると、面状押圧センサが押圧位置（押圧座標）を示す操作信号を操作装置制御部１１に出力するものである。
このようなタッチパネルには、各種機能のそれぞれ割り付けられた複数の操作ボタンが操作装置制御部１１によって所定のレイアウトで表示される構成となっている。
【００２８】
操作キー２２は、例えば電源ボタン、数字ボタン、印刷開始ボタン等、表示部２１に表示される操作ボタン以外のハードウエアキーである。表示部２１のタッチパネルに表示される操作ボタンは、操作装置制御部１１が所定のプログラムに基づいてソフトウエア的に表示させるものであるが、操作キー２２は、ハードウエアキーとして物理的に備えられたものであり、ユーザーの操作に基づいた操作信号を操作装置制御部１１に出力する構成となっている。
【００２９】
続いて、図３、図４及び図５を参照して操作パネル２０に設けられた笠部材３０の構成について詳しく説明する。
図３（ａ）は、操作パネル２０の傾き角度θが０度の場合であって、笠部材３０が操作パネル２０内部に収容されている状態の操作パネル２０の斜視図を示し、図３（ｂ）は、操作パネル２０の傾き角度θが９０度の場合であって、笠部材３０が操作パネル２０上に露出している状態の操作パネル２０の斜視図を示す。
図４（ａ）は、図３（ａ）の場合の操作パネル２０の内部構成を示す側断面図であり、図４（ｂ）は、図３（ｂ）の場合の操作パネル２０の内部構成を示す側断面図である。
図５は、操作パネル２０と操作装置１０との接続を説明する図であり、図４（ａ）における線視Ｚ−Ｚ断面図である。
【００３０】
笠部材３０は、操作パネル２０の傾き角度θが０度の場合、図３（ａ）に示すように、表示部２１の上半部分の周面に沿うコ形状に設けられた溝２５内に収容される形で操作パネル２０内に配置され、操作パネル２０の傾き角度θが９０度の場合、図３（ｂ）に示すように、溝２５内から外部に露出して、表示部２１への照明等の映り込みを抑制する構成となっている。
【００３１】
笠部材３０は、図３（ｂ）に示すように、あたかも円筒部材の一部を切り取った断面円弧形状を有する周部３０ｃと、周部３０ｃの一端に設けられた扇形状の側壁３０ａと、周部３０ｃの他端に設けられて、側壁３０ａと同形状の側壁３０ｂとを有する構成となっている。
なお、周部３０ｃには、後述する、操作パネル２０の傾きに伴う力を伝達するギア（伝達部）４２が設けられている（図４参照）。
【００３２】
また、笠部材３０は、図４及び図５に示すように、側壁３０ａの扇形状の中心軸に設けられ、周部３０ｃの円筒軸方向であって、側壁３０ａから外側に向けて突出する凸部３１ａと、側壁３０ｂの扇形状の中心軸に設けられ、周部３０ｃの円筒軸方向であって、側壁３０ｂから外側に向けて突出する凸部３１ｂとを有している。
【００３３】
凸部３１ａ及び凸部３１ｂは、図５に示すように、同軸上に設けられて操作パネル２０に設けられた凹部２０ａ及び凹部２０ｂと遊嵌しており、笠部材３０を凸部３１ａ及び凸部３１ｂを結ぶ軸線回りに回転自在に支持する構成となっている。
【００３４】
笠部材３０は、駆動機構４０によって、角度調節に伴う操作パネル２０の移動により、露出又は溝２５内に没入する構成となっている。
駆動機構４０は、笠部材３０の周部３０ｃに設けられたギア４２と、ギア４２と噛合すギア（切替機構）４１とから構成されている。
【００３５】
ギア４２は、周部３０ｃの円筒軸方向の略中央部に、外周面に沿って設けられ、凸部３１ａ及び３１ｂを結ぶ軸回りに形成されてギア４１と噛合する歯形を有する構成となっている。
【００３６】
ギア４１は、操作装置１０本体側に設けられ、ギア４１の回転軸４１ａが操作パネル２０の回転軸（より詳しくは、操作装置１０本体と接続される接続部２３ａ及び２３ｂを結ぶ回転軸）と同軸上に設けられている。また、ギア４１は、不図示のロック機構によって、回転軸４１ａに対して回転不可に支持される構成となっている。
なお、ロック機構は、操作キー２２の操作に応じてギア４１を回転軸４１ａ回りに対して回転可と回転不可とに設定可能な構成となっている。
【００３７】
続いて、操作パネル２０の角度調整に伴う笠部材３０の動作について図４を参照して説明する。
【００３８】
操作パネル２０は、通常、図４（ａ）に示すように、略水平に位置を調節されている。この場合笠部材３０は、操作パネル２０内に収容されている（退避位置）。
なお、このときギア４１はロック機構によって回転不可に支持されている。
【００３９】
次に、操作パネル２０を９０度傾け、笠部材３０を操作パネル２０上に露出させることとする。
操作パネル２０を傾けると、笠部材３０は、凸部３１ａ及び凸部３１ｂが操作パネル２０と接続されていることから、操作パネル２０の傾きに伴って傾くこととなる。
このとき、ギア４１の回転軸４１ａが操作パネル２０の回転軸と同軸上に設けられているため、操作パネル２０が傾いても、ギア４２とギア４１との回転軸の中心間距離は変化しないため、ギア４２とギア４１とは常に噛合している。
【００４０】
ここで、笠部材３０に設けられたギア４２が、回転不可のギア４１と噛合しているため、操作パネル２０の傾きに伴ってギア４１との噛合い位置が、ギア４１の周面に沿って徐々に反時計回りにずれていき、結果、図４（ｂ）に示すように、笠部材３０を操作パネル２０に対して凸部３１ａ及び凸部３１ｂを結ぶ回転軸を中心に反時計回りに移動させることとなる。
当該移動によって、笠部材３０は、操作パネル２０上に露出して、表示部２１に映り込む照明等から照射される光を遮光することとなる（遮光位置）。
【００４１】
操作パネル２０を水平位置に戻す場合は、ギア４１及びギア４２によって、笠部材３０が操作パネル２０に対して時計回りに回転して、操作パネル２０内に収容される退避位置に移動することとなる（図４（ａ）参照）。
【００４２】
なお、上記構成では、健常者が使用する場合でも、操作パネル２０を傾けると笠部材３０が常に露出してしまう。したがって、笠部材３０が必要でない時は、操作キー２２を押下し、ギア４１のロック機構によるロックを解除してギア４１を回転自在にさせて、ギア４１とギア４２との間で操作パネル２０の角度調節に伴う力の伝達を不可とさせることで、操作パネル２０を傾けた時に笠部材３０が自動的に露出することを防止することができる。
【００４３】
したがって、上記構成の第１実施形態によれば、画像を表示する表示部２１が設けられ、水平面に対する角度が調整自在な操作パネル２０を備える操作装置１０であって、表示部２１に入射する光の少なくとも一部を遮光する笠部材３０を有するという構成を採用することによって、笠部材３０が表示部２１に入射する光を遮光して操作パネル２０の表示部２１に照明等が映り込むことを抑制することができる。
したがって、操作パネル２０の角度調整による表示部２１への照明等の映り込みを抑制することによって、車椅子使用者等が操作装置１０を使用する場合であっても、操作性の低下を抑制することができる。
【００４４】
また、第１実施形態によれば、操作パネル２０上に露出して表示部２１に入射する光を遮光する遮光位置と、内部に収容されて表示部２１に入射する光を非遮光とする退避位置との間で、笠部材２０を移動させる駆動機構４０を有するという構成を採用することによって表示部２１に映り込みが起こらない場合等、笠部材３０が必要でない時に笠部材３０を操作パネル２０の内部に収容することができる。
【００４５】
また、第１実施形態によれば、操作パネル２０の角度に応じて、笠部材３０を遮光位置と退避位置との間で移動させるという構成を採用することによって、操作パネル２０の角度調整に伴って笠部材３０が遮光位置と退避位置とに自動的に移動することができ、車椅子使用者等の操作パネル２０の操作に関する負担を軽減させることができる。
【００４６】
また、第１実施形態によれば、駆動機構４０は、笠部材３０に設けられて、操作パネル２０の角度調整に伴う力を伝達させるギア４２を有し、ギア４２の力の伝達及び伝達解除を切り替えるギア４１を有するという構成を採用することによって、健常者等が操作装置１０を操作する場合等、笠部材３０の必要の無いときに、笠部材３０が操作パネル２０の傾きに伴って移動してしまうのを防止することができる。
【００４７】
また、第１実施形態によれば、上記記載の操作装置１０を備えることを特徴とする複写機１を採用することによって、映り込みを抑制できる操作装置１０を備える複写機１が得られる。
【００４８】
（第２実施形態）
続いて、本発明の第２実施形態について図６を参照して説明する。
図６は、操作パネル２０の内部構成を説明する図である。
なお、以下の説明において、第１実施形態と構成を同じくする部分の説明は割愛する。
【００４９】
駆動機構４０は、ギア４２に噛合する伝達歯車４３と、伝達歯車４３を操作パネル２０の幅方向に延びる軸回りに回転させるモータ４４とを有する構成となっている。
モータ４４は、操作装置制御部１１に接続されており、操作装置制御部１１の下、モータ４４の回転軸に設けられた伝達歯車４３を時計回り又は反時計回りに回転させることができる構成となっている。
【００５０】
次に、第２実施形態における笠部材３０の遮光位置と退避位置との移動動作について説明する。
【００５１】
使用者は、操作パネル２０に設けられた笠部材３０の移動に関して設定された操作キー２２を押下し、その押下を操作パネル２０内部に設けられた電気回路等からなる検知装置によって検知して操作装置制御部１１へ検知結果を伝送する。
操作装置制御部１１は、モータ４４を時計回りに回転させることで、伝達歯車４３と噛合するギア４２へ回転駆動を伝達させる。ギア４２によって笠部材３０は、図４（ｂ）において、凸部３１ａ及び凸部３１ｂを結ぶ軸線を中心に反時計回りに回転して操作パネル２０上に露出する遮光位置へ移動される。
また、操作装置制御部１１は、モータ４４を反時計回りに回転させることで、笠部材３０を凸部３１ａ及び凸部３１ｂを結ぶ軸線を中心に時計回りに回転させて操作パネル２０内に収容する退避位置に移動させることができる。
したがって、第２実施形態では、使用者の操作キー２２の選択によって笠部材３０を露出させるかどうかが決定される。
【００５２】
したがって、上記構成の第２実施形態によれば、遮光位置と退避位置とを選択できる操作キー２２を有し、操作キー２２の選択結果を検知する検知装置と、検知装置の検知結果に基づいて駆動機構４０の駆動を制御する操作装置制御部１１とを有するという構成を採用することによって、笠部材３０による遮光が必要なときに選択的に笠部材３０を遮光位置に移動させることができる。つまり、適宜必要な場合に笠部材３０を露出させて映り込みを防止することができる。
【００５３】
（第３実施形態）
続いて、本発明の第３実施形態について図７を参照して説明する。
図７（ａ）は、笠部材３０が複写機１本体内に収容された複写機１の側面図であり、図７（ｂ）は、笠部材３０が複写機１から引き出された複写機１の側面図である。
なお、以下の説明において、上記実施形態と構成を同じくする部分の説明は割愛する。
【００５４】
笠部材３０は、図７（ａ）に示すように、手前側に設けられた取手部３３を有する直線形状を有し、複写機１本体内部に引き出し可能に設けられる構成となっている。したがって、使用者は、図７（ｂ）に示すように、笠部材３０を手前側に引き出すことによって操作パネル２０に設けられた表示部２１への照明等の映り込みを抑制することができる。
【００５５】
したがって、上記構成の第３実施形態では、笠部材３０は、複写機１本体に引き出し可能に収容されているという構成を採用することによって、笠部材３０を複写機１本体から適宜引き出すことによって表示部２１の映り込みを抑制することができる。
【００５６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５７】
例えば、第１実施形態において、ギア４１を回転自在にして、ギア４１とギア４２との間で操作パネル２０の角度調節に伴う力の伝達を不可とさせると説明したが、例えば、ギア４１を回転軸方向に移動させてギア４２と噛合解除させる構成であってもよい。
【図面の簡単な説明】
【００５８】
【図１】本発明の第１実施形態における複写機を示す側面図である。
【図２】本発明の第１実施形態における複写機の構成を示すブロック図である。
【図３】本発明の第１実施形態における操作パネルを示す斜視図である。
【図４】本発明の第１実施形態における操作パネルを示す側断面図である。
【図５】本発明の第１実施形態における操作パネルと操作装置との接続を説明する図である。
【図６】本発明の第２実施形態における操作パネルの内部構成を説明する図である。
【図７】本発明の第３実施形態における複写機を示す側面図である。
【符号の説明】
【００５９】
１…複写機（画像形成装置）、１０…操作装置、１１…操作装置制御部（制御装置）、２０…操作パネル、２１…表示部、２２…操作キー（操作部）、３０…笠部材、４０…駆動機構、４１…ギア（切替機構）、４２…ギア（伝達部）
【図１】
2009098444.tif 000003
【図２】
2009098444.tif 000004
【図３】
2009098444.tif 000005
【図４】
2009098444.tif 000006
【図５】
2009098444.tif 000007
【図６】
2009098444.tif 000008
【図７】
2009098444.tif 000009